(57)【要約】【課題】筆記具に関する改善を目的とするものである。【解決手段】先端側にペン先部２０ｐを備えた筆記具本体２と、不使用時にペン先部２０ｐを覆うように筆記具本体２と相互に係わり合って保持されるキャップ３とからなる筆記具１において、キャップ３に少なくとも前記筆記具本体２の基端部２３と同じ構造の基端部２３０を有する他の筆記具１００を係わり合わせて連結しうるようにしたものであり、キャップ３をペン先部２０ｐを覆うように筆記具本体２に保持し、かつ、キャップ３に他の筆記具１００を連結した状態で、筆記具本体２と他の筆記具１００をそれぞれ把持して相反する方向に付勢したときに、キャップ３と筆記具本体２の係わり合いは解除されないで、キャップ３と他の筆記具１００の係り合いが解除され、他の筆記具１００と分離できるように構成されている。【選択図】図４
2004299328.tif 000002
【特許請求の範囲】
【請求項１】
先端側にペン先部を備えた筆記具本体と、不使用時にペン先部を覆うように筆記具本体と相互に係わり合って保持されるキャップとからなる筆記具において、
キャップに少なくとも前記筆記具本体の基端部と同じ構造の基端部を有する他の筆記具を係わり合わせて連結しうるようにしたものであり、
キャップをペン先部を覆うように筆記具本体に保持し、かつ、キャップに他の筆記具を連結した状態で、筆記具本体と他の筆記具をそれぞれ把持して相反する方向に付勢したときに、キャップと筆記具本体の係わり合いは解除されないで、キャップと他の筆記具の係り合いが解除され、他の筆記具と分離できるようにしたことを特徴とする筆記具。
【請求項２】
前記キャップは、一端側を、筆記具本体との間に設けられた保持手段を介して筆記具本体に保持されるように設けられるとともに、他端側を、他の筆記具との間に設けられた連結手段を介して他の筆記具を連結しうるように設けられ、前記保持手段の引き抜き強度を、前記連結手段の引き抜き強度よりも高く設定していることを特徴とする請求項１記載の筆記具。
【請求項３】
前記筆記具本体には、前記連結手段の一部を構成する第１の連結部が設けられ、前記キャップには、前記連結手段の一部を構成でき、かつ、第１の連結部に係わり合って接続しうる第２の連結部が設けられたことを特徴とする請求項２記載の筆記具。
【請求項４】
前記保持手段は、筆記具本体の外面に設けられた凸状部と、キャップ装着時に凸状部を乗り越えるようにして係わり合うキャップ内面に設けられた係合部とを備えてなり、キャップを筆記具本体に装着する際に、係合部が凸状部を乗り越え切らない位置で保持されようにしたことを特徴とする請求項２又は３記載の筆記具。
【請求項５】
他の筆記具が同一構造のものであり、前記筆記具本体には、外面から突出した転がりを防止するための突部が１の箇所に設けられていることを特徴とする請求項１、２、３又は４記載の筆記具。
【請求項６】
前記筆記具本体は、樽型状に設けられていることを特徴とする請求項１、２、３、４又は５記載の筆記具。
【請求項７】
前記キャップは、先端側に向かって暫次軸径が大きくなるように設けられた傾斜状部と、該傾斜状部に設けられるとともに指で摘んでキャップを筆記具本体から外す方向に付勢したときに指の滑りを抑制する滑り止め手段とを備えていることを特徴とする請求項１、２、３、４、５又は６記載の筆記具。
【請求項８】
前記滑り止め手段が、キャップの軸心方向に間隔をあけて平行に設けられた複数の溝からなることを特徴とする請求項７記載の筆記具。
【請求項９】
前記キャップが、鼓形状に設けられていることを特徴とする請求項１、２、３、４、５、６、７又は８記載の筆記具。
【請求項１０】
前記筆記具は、ホワイトボード用のマーカーであることを特徴とする請求項１、２、３、４、５、６、７、８又は９記載の筆記具。
【発明の詳細な説明】
【０００１】
【発明の属する技術分野】
本発明は、筆記具に関する。詳しくは、主にホワイトボードの筆記に用いられるホワイトボード用の筆記具に関する。
【０００２】
【従来の技術】
従来より、会議やプレゼンテーションの場でホワイトボードを利用する際に用いられるホワイトボード用の筆記具が知られている。このものは、先端側にペン先部を備えた筆記具本体と、不使用時にペン先部を覆うように筆記具本体と相互に係わり合って保持されるキャップとから構成されている。
【０００３】
又、特許文献１に示されるように、一本で複数の色が使える筆記具が知られている。このものは、複数の色が必要な場合に、複数の色の筆記具を筆箱に入れておかなければならず筆箱のスペースをとり不便であったことを解消すべく新規な筆記具を提供することを目的としたもので、筆記具本体の後部にキャップ部を設け、それを複数個組み合わせることにより一本で複数の色が使える筆記具としたものである。
【０００４】
【特許文献１】特開平８−１８３２９０号公報
【０００５】
【発明が解決しようとする課題】
しかしながら、前述のホワイトボード用の筆記具は、ホワイトボードに書いた文字を分かり易くするために、あるいは、印象づけるために、何色も用いることが多く、ホワイトボードの粉受けにそれら筆記具が乱雑に置かれ、見た目に心地良くないものであった。また、会議やプレゼンテーションの最中に、乱雑に置かれたホワイトボード用の筆記具から使いたい色を瞬時に識別することは大変難しいものであった。
【０００６】
そこで、前述した特許文献１に開示されるような筆記具をホワイトボード用の筆記具に採用することが考えられる。このようなものであれば、整然とまとめておくことができ、色の識別も容易となるが、筆記具本体同士が分離されたまま放置されてしまうと、ペン先部からインクが揮発してすぐに使いものにならなくなってしまうので、１色たりとも分離されたまま放置されないように注意しなくてはならない。又、特定の色を用いるために、筆記具の途中で分離しようとしたとき、誤ってペン先部に手が触れてインクで手を汚してしまうことが考えられる。更に、一本の筆記具のうちの特定の色のインクがなくなった場合の取り替え用として各色の筆記具本体を提供することが考えられるが、取り替えられるまでの間、ペン先部からインクの揮発を防ぐキャップを装着しておくことが必須である。しかし、一旦取り替えられてしまえばそのキャップは不要となってしまうので、結局そのキャップは無駄なものとなってしまう。更に、ひとつの筆記具本体が長すぎると、筆記具全体が長いものとなってしまい、かえって扱い難くなるので、ある程度短くしておくことが要求されるが、短すぎると、筆記の際に把持し難くなるとういう不都合が生じる。
【０００７】
以上のような問題に鑑み、本発明は、このような筆記具に関する改善を目的とするものである。
【０００８】
【課題を解決するための手段】
上述の問題を解決すべく、本発明の筆記具は、先端側にペン先部を備えた筆記具本体と、不使用時にペン先部を覆うように筆記具本体と相互に係わり合って保持されるキャップとからなる筆記具において、キャップに少なくとも前記筆記具本体の基端部と同じ構造の基端部を有する他の筆記具を係わり合わせて連結しうるようにしたものであり、キャップをペン先部を覆うように筆記具本体に保持し、かつ、キャップに他の筆記具を連結した状態で、筆記具本体と他の筆記具をそれぞれ把持して相反する方向に付勢したときに、キャップと筆記具本体の係わり合いは解除されないで、キャップと他の筆記具の係り合いが解除され、他の筆記具と分離できるようにした。
【０００９】
このようなものであれば、複数の筆記具を同じ向きになるように連結できるようになり、複数の筆記具を整然とまとめておくことができる。又、ひとつのキャップとひとつの筆記具本体で、ひとつの筆記具を構成しており、たとえ、ひとつの筆記具が分離して放置されたとしても、キャップさえ装着されていれば、インクが揮発するという不都合は生じない。又、筆記具を分離しようとしたとき、誤ってペン先部に手が触れてインクで手を汚してしまうこともない。更に、取り替え用として筆記具本体を提供する際に、ペン先部に装着されたキャップが取り替え後も無駄にならない。
【００１０】
具体的な構造としては、キャップは、一端側を、筆記具本体との間に設けられた保持手段を介して筆記具本体に保持されるように設けられるとともに、他端側を、他の筆記具との間に設けられた連結手段を介して他の筆記具を連結しうるように設けられ、前記保持手段の引き抜き強度を、前記連結手段の引き抜き強度よりも高く設定していることが挙げられる。
【００１１】
このようなものであれば、キャップと筆記具本体あるいはキャップと他の筆記具の係わり合う構造を簡易にすることが可能となる。
【００１２】
筆記具本体には、前記連結手段の一部を構成する第１の連結部が設けられ、前記キャップには、前記連結手段の一部を構成でき、かつ、第１の連結部に係わり合って接続しうる第２の連結部が設けられるものであれば、筆記具を使用する際に、キャップを筆記具本体の基端部に接続できるので、筆記具本体を短くしておいても、キャップの分だけ筆記具の全長を長くすることが可能となり、把持しやすいものとすることができる。又、他の筆記具を筆記具と同一構造のものとすれば、キャップ又は筆記具本体のいずれにも他の筆記具を連結できる。従って、使用頻度の高いものを前にするように筆記具と他の筆記具を連結しておくことが可能となる。
【００１３】
保持手段が、筆記具本体の外面に設けられた凸状部と、キャップ装着時に凸状部を乗り越えるようにして係わり合うキャップ内面に設けられた係合部とを備えてなり、キャップを筆記具本体に装着する際に、係合部が凸状部を乗り越え切らない位置で保持されるようにすれば、キャップと筆記具本体の嵌合強度を高めることができるので、他の筆記具が連結された状態から分離する際に、キャップと筆記具本体を容易には分離されないようにできる。
【００１４】
他の筆記具が同一構造のものであり、筆記具本体に外面から突出した転がりを防止するための突部が１の箇所に設けられているものであれば、他の筆記具を連結したときに、筆記具本体の突部を、他の筆記具における筆記具本体の突部と異なる向きにしておくことで、いっそうのころがり防止に貢献できる。
【００１５】
筆記具本体が、樽型状に設けられているならば、筆記具に他の筆記具が連結された状態から分離する際に、筆記具本体のうち暫次軸径が大きくなっている部分に手を添え付勢できるので、手の滑りを抑制することができ、無駄な力をかけることなく分離することができる。
【００１６】
キャップは、先端側に向かって暫次軸径が大きくなるように設けられた傾斜状部と、該傾斜状部に設けられるとともに指で摘んでキャップを筆記具本体から外す方向に付勢したときに指の滑りを抑制する滑り止め手段とを備えたものであれば、筆記具本体からキャップを外す際に、キャップを指で摘んで掛けやすいことと相俟って、キャップを外す際の滑り止めとしての機能を効果的に発揮する。つまり、無駄な力をかけずに筆記具本体からキャップを外すことができる。このことは、キャップと筆記具本体の保持手段の引き抜き強度を高く設定した場合に、特に有益な構造として用いることができる。
【００１７】
具体的な滑り止め手段の構造としては、キャップの軸心方向に間隔をあけて平行に設けられた複数の溝からなることが挙げられる。
【００１８】
更に、キャップが、鼓形状に設けられるならば、外観も良好なものとなる。
【００１９】
特に、筆記具がホワイトボード用のマーカーであれば、筆記具と他の筆記具を連結しておいて、ホワイトボードの粉受け部に置いておくことができる。
【００２０】
尚、本明細書において、位置もしくは方向を示す用語である「先」とは、特に明記しない限り、キャップについては、ペン先部を覆う側と反対側を指し、又、筆記具本体については、ペン先部が設けられる側を指し、「基」とは、キャップについては、ペン先部を覆う側を指し、又、筆記具本体については、ペン先部が設けられる側と反対側を指す。従って、キャップをペン先部を覆うように筆記具本体に装着した状態では、キャップと筆記具本体の「先」、及び、キャップと筆記具本体の「基」がそれぞれ同一の方向を指すこととなる。
【００２１】
【発明の実施の形態】
以下、本発明の一実施形態について図面を参照して説明する。図１ないし図７に示すものは、本実施形態に係る筆記具たるホワイトボード用のマーカー１である。図１は本発明の一実施形態におけるホワイトボード用のマーカー１を示す全体斜視図であり、図２は同実施形態における筆記具本体を示す平面図であり、図３は同実施形態におけるキャップ３を示す断面図である。又、図４は同実施形態におけるホワイトボード用のマーカー１を他のホワイトボード用のマーカー１００と連結した状態を説明する斜視図である。更に、図５はキャップ３を筆記具本体に保持する構造を説明する断面図であり、図６はキャップ３を筆記具本体に接続する構造を説明する断面図である。図７はキャップ３に他のホワイトボード用のマーカー１００の筆記具本体を連結する構造を説明する断面図である。
【００２２】
ホワイトボード用のマーカー１は、略垂直面に設置されたホワイトボードに筆記する際に好適に用いられるもので、先端側にペン先部２０ｐを備えた筆記具本体２と、不使用時にペン先部２０ｐを覆うように筆記具本体２との間に設けられた保持手段Ｈを介して筆記具本体２に保持されるとともに使用時に筆記具本体２の基端側に接続可能なキャップ３とを備えている。
【００２３】
筆記具本体２は、ホワイトボード用のマーカー１の外形を構成するものであり、胴体部２１と胴体部２１の先端側から延出して設けられる先端部２２と胴体部２１の基端側から延出して設けられる基端部２３を備えている。尚、筆記具本体２は、図示しない雄ネジ部を有し、樹脂の射出成形により形成される先軸２０ａと該雄ネジ部と螺合する図示しない雌ネジ部を有し、樹脂の射出成形により形成される後軸２０ｂとを螺合して固定されることで構成されている。
【００２４】
胴体部２１は、外形が中央位置を最も膨出させ、先端側と基端側で略対称となる樽型状の緩やかな曲線形状をなすものであり、内部を空洞としている。そして、胴体部２１の先端側の略１／３は、先軸２０ａにより形成され、残り略２／３は、後軸２０ｂにより形成されている。従って、胴体部２１のうち筆記の際に指を添える部分は、概ね先軸２０ａの胴体部２１を形成する部分が担うことになる。
【００２５】
先軸２０ａの胴体部２１を構成する部分には、周方向等間隔に、筆記の際に指を添え得るように形成される横Ｕ字状の指掛り部２１ｋが複数形成されている。この指掛り部２１は、Ｕの字を若干開いた形状をなし、Ｕの字の底にあたる部分を筆記具本体２の基端側に向けて設けられるもので、Ｕの字に囲われた内部側が外部側よりも窪んだものとなっている。そして、Ｕの字の底にあたる部分が、内部側と外部側で段差が最も大きくなっている。
【００２６】
後軸２０ｂの胴体部２１を構成する部分には、胴体部２１の軸心方向の略中間位置に、軸心方向に長く延びる外面から突出した転がりを防止するための突部２１ｔが１箇所だけ設けられている。
【００２７】
先端部２２は、先軸２０ａにより形成されるもので、胴体部２１の先端縁から段差を介して一体に延出し、胴体部２１の先端縁よりも小径の筒状をなす延出部２４と、延出部２４からさらに延出し、ペン先部２０ｐを導出するための開口を有する漏斗形状の導出部２５から構成されている。延出部２４及び導出部２５の内部には、胴体部２１の空洞と連通する空洞を有している。そして、延出部２４の軸心方向の中間位置の外周面上には、保持手段Ｈの役割を担う凸状部２４ｔが全周にわたって設けられている。又、導出部２５の先端側にはペン先部２０ｐを保護するように軸心方向に添って円筒状部分２５ｄが形成されている。
【００２８】
基端部２３は、後軸２０ｂにより形成されるもので、胴体部２１の基端縁から段差を介して一体に延出し、胴体部２１の基端縁よりも小径の筒状をなす外壁部２６と該外壁部２６の基端縁に設けられる底部２７とからなる。底部２７の中央には、筆記具本体２の軸心方向であって先端側に向かう方向に没し、周壁部３０と平行に設けられる内壁部２８を有する凹部２７ａが形成されている。この凹部２７ａは、軸心方向において、略胴体部２１の基端縁にあたる位置まで延びている。又、凹部２７ａの内面には係止部２８ａが複数突出して設けられている。尚、胴体部２１の基端縁から基端部２３の底部２７までの寸法すなわち筆記具本体２から突出した部分の寸法は、筆記の際にキャップ３が、外力により容易に外れない程度に設定されている。具体的には、本実施形態では、その寸法を８ｍｍに設定している。そして、この基端部２３は、後述する連結手段Ｒの一部を構成しうる第１の連結部２３ｌとして設けられている。
【００２９】
本実施形態では、ペン先部２０ｐの近傍である胴体部２１の先端側の略半分を把持領域２１０としている。詳しくは、先軸２０ａの胴体部２１を構成する部分が最も効果的に把持領域２１０として機能している。把持領域２１０は、軸本体の胴体部２１が樽型状の緩やかな曲線形状をなしているので、胴体部２１の先端側、すなわち、筆記具本体２の先端側に向かって暫次軸径が小さくなるように設けられている。そして、その軸径の減少度合いは、人の指が自然に添えられる程度に設定されている。又、把持領域２１０には、前述した横Ｕ字状の指掛り部２１ｋが設けられており、筆記の際に指を添えることができる。尚、筆記具本体２は、把持領域２１０にある指掛り部２１ｋに指を添え、掌に包み込んで握ったときに、すっぽりと納まる程度の大きさに設けられている。
【００３０】
ペン先部２０ｐは、筆記具本体２の内部でインクを含浸させた中綿と該中綿を内装する筒状体とからなる図示しないインク貯留体と接続され、筆記の際に、随時インクが供給される構造になっている。従って、ペン先部２０ｐが露出した状態では、インクが揮発するので、不使用時には、キャップ３でペン先部２０ｐを覆うことで、インクの揮発を防ぐようにしている。
【００３１】
キャップ３は、樹脂の射出成形により形成されるものであり、キャップ３の一端側すなわち基端側は、筆記具本体２との間に設けられる保持手段Ｈを介して筆記具本体２に保持されるように設けられるともに、他端側すなわち先端側は、他のホワイトボード用のマーカー１００との間に設けられる連結手段Ｒを介して他のホワイトボード用マーカー１００を連結しうるように設けられている。
【００３２】
キャップ３の基端側は、外面の形状に沿って形成されるとともに筆記具本体２の延出部２４の外径と内径を略等しくした周壁部３０と周壁部３０に囲われた空間の奥側に設けられ、筆記具本体２の導出部２５の円筒状部分２５ｄの外径と内径を略等しくした基端側の部分を有する内栓３１が設けられている。周壁部３０の内面には、筆記具本体２にキャップ３を保持する際に、筆記具本体２の延出部２４に設けられる凸状部２４ｔを乗り越えるようにして係わり合う係合部３０ａが設けられている。尚、係合部３０ａは、本実施形態では、周方向に複数形成される突起により設けられるもので、凸状部２４ｔとともに保持手段Ｈの役割を担っている。又、係合部３０ａの最大に突出する部分と凸状部２４ｔの最大に突出する部分とは、オーバーラップするように設定されており、本実施形態では、係合部３０ａの最大に突出する部分を結ぶ仮想円の直径と凸状部２４ｔの最大に突出する部分を結ぶ仮想円の直径の差をマイナス０．１ｍｍに設定している。
【００３３】
内栓３１は、凸型の形状をなすものであり、基端側のやや径の大きい円筒状をなす基部３１ａと、基部３１ａから段差を介して一体に設けられ、やや径を小さくした円筒状の凸部３１ｂとから構成されている。基部３１ａは、ペン先部２０ｐを覆うように筆記具本体２に装着した際に、筆記具本体２の導出部２５と嵌合するように設けられている。又、凸部３１ｂは、筆記具本体２に装着した際に、筆記具本体２の導出部２５に対応する位置よりも先端側に位置するように設けられている。尚、凸部３１ｂの最先端に位置する部分は閉塞されている。したがって、内栓３１を筆記具本体２の導出部２５に嵌合することで、ペン先部２０ｐを密封し、インクが揮発するのを防ぐことができる。又、内栓３１は、キャップ３の内面に設けられた内栓保持部３１ｈにより、キャップ３の内面に固定されている。尚、内栓保持部３１ｈは、筆記具本体２に装着したときに筆記具本体２の先端部２２と干渉しない位置に設けられている。
【００３４】
このように、キャップ３の基端側の内部形状は、筆記具本体２の先端側に設けられたペン先部２０ｐ、導出部２５及び延出部２４をすっぽりと格納できるように、凸部３１ｂ、基部３１ａ及び周壁部３０の内部寸法を設定している。しかして、保持手段Ｈは、内栓３１の基部３１ａを筆記具本体２の導出部２５の円筒状部分２５ｄに、周壁部３０を筆記具本体２の延出部２４にそれぞれ嵌合させ、かつ、胴体部２１の先端側の端縁と当接して位置決め固定されるようにして設けられている。更に、保持手段Ｈは、周壁部３０の内面に設けられた係合部３０ａが筆記具本体２の延出部２４に設けられた凸状部２４ｔを乗り越え切らない位置で保持されように設定して設けられている。
【００３５】
キャップ３の先端側には、外面の形状に沿って形成される前述した周壁部３０が延びており、又、その周壁部３０に囲われた空間内に前述した凸部３１ｂが望んでいる。この凸部３１ｂには、筆記具本体２に設けられる係止部２８ａと係わり合うことができる環状突起３３ａが設けられている。そして、先端側の周壁部３０の内径は、筆記具本体２の基端部２３の外径と略等しくされ、又、凸部３１ｂの外径は基端部２３の底部２７に形成された凹部２７ａの内径と略等しくされ、基端部２３すなわち筆記具本体２から突出した部分を格納できるよう設定されている。つまり、キャップ３の先端側を筆記具本体２の基端側に嵌合させることで、キャップ３の先端と筆記具本体２の基端側が係わり合って接続できるようになっている。従って、使用時には、筆記具本体２の基端部２３にキャップ３を嵌合して接続できる。尚、この接続された状態では、筆記具本体２の係止部２８ａを環状突起３３ａが完全に乗り越え切っている。又、係止部２８ａの最大に突出する部分と環状突起３３ａの最大に突出する部分とは、オーバーラップするように設定されており、本実施形態では、係止部２８ａの最大に突出する部分を結ぶ仮想円の直径と環状突起３３ａの最大に突出する部分を結ぶ仮想円の直径の差をマイナス０．０２ｍｍに設定している。
【００３６】
又、キャップ３の先端側に筆記具本体２の基端部２３と同じ構造の基端部２３０を有する他のホワイトボード用のマーカー１００を係わり合わせて連結することもできる。そして、このキャップ３の先端側は、連結手段Ｒの一部を構成しうる第２の連結部３０ｌとして設けられている。
【００３７】
キャップ３の外形は、中央位置を略最小径にし、先端側と基端側で対称形状となるくびれ状の緩やかな曲線形状をなしている。つまり、キャップ３は、その全体形状を鼓形状に設けられている。そして、中央位置から先端側に向かって暫次軸径が大きくなる傾斜状部３５を備えている。そして、その傾斜状部３５には、溝３５ｍが全周にわたって形成されている。この溝３５ｍは、指の滑りを抑制する滑り止め手段３０ｓとされるもので、キャップ３の軸心方向に間隔をあけて平行に複数設けられている。従って、キャップ３の外形が鼓形状をしていることと相俟って、キャップ３を外す際の滑り止めとしての機能を効果的に発揮する。
【００３８】
又、本実施形態では、このくびれ状に設けられたキャップ３の中央位置を基準位置とし、その基準位置から先端側及び基端側へ延びる部分を細径領域３０ｙとして設定している。特に、本実施形態では、キャップ３の中央位置にある基準位置を中心として、キャップ３の先端から基端にかけた全域のうちの少なくとも２／３程度の領域が、細径領域３０ｙとして最も効果的に機能している。そして、キャップ３を筆記具本体２の基端部２３に嵌合させたとき、すなわち、キャップ３を筆記具本体２の基端側に接続したときに、筆記具本体２と前記キャップ３は連続的な曲面をなす形状に設けられている。尚、この細径領域３０ｙは、筆記具本体２の基端側にキャップ３を接続したときに、筆記具本体２のペン先部２０ｐの近傍に設けられた把持領域２１０のうち横Ｕ字状の指掛り部２１ｋを親指，人差し指及び中指で摘んだ状態で、親指及び人差し指の各付け根間を結ぶ手の縁部を添えられる位置に設けられている。又、キャップ３の外形はくびれ状の緩やかな曲線形状をなしているが、そのくびれの度合いは、通常の持ち手で握った態様で筆記するときに、親指と人差し指の各付け根間を結ぶ手の縁部に密着感を与えられる程度に設定されている。
【００３９】
更に、キャップ３の先端側において、キャップ３の周壁部３０の端縁及び凸部３１ｂを閉塞する部分は、同一面上かつ軸心方向に直交するような平面になるように形成されている。このようにしておくことで、キャップ３を筆記具本体２に保持した状態で、キャップ３の先端側を下にして、載置面に対して起立状態で載置させておくことができる。従って、例えば、インクがなくなりかけてきた場合、不使用時に筆記具本体２にキャップ３を装着し、キャップ３の先端側を下に向け、起立状態で載置させておけば、ペン先部２０ｐの側にインクを収集でき、インクを最後まで中綿に停滞させることなく使い切ることが可能となる。
【００４０】
このように構成された筆記具の使用方法について説明する。尚、本実施形態では、図４に示すように、ホワイトボード用のマーカー１が異なる色を呈する同一構造の他のホワイトボード用のマーカー１００と連結手段Ｒを介して連結し、保管されているものとする。
【００４１】
まず最初に、ホワイトボード用のマーカー１を他のホワイトボード用のマーカー１００から分離する作業についての説明をする。ホワイトボード用のマーカー１の筆記具本体２と他のホワイトボード用のマーカー１００の筆記具本体２００をそれぞれ把持して相反する方向に付勢する。詳しくは、右手の指をホワイトボード用のマーカー１の筆記具本体２の先端側の部分すなわち先端側から基端側に向け暫次軸径が大きくなっている部分に添え、又、左手の指を他のホワイトボード用のマーカー１００の筆記具本体２００の基端側の部分すなわち基端側から先端側に向け暫次軸径が大きくなっている部分に添え、相反する方向に付勢する。そうすると、保持手段Ｈの引き抜き強度を、前記連結手段Ｒの引き抜き強度よりも高く設定しているので、キャップ３と筆記具本体２の係わり合いは解除されないで、キャップ３と他のホワイトボード用のマーカー１００の係り合いが解除され、ホワイトボード用のマーカー１と他のホワイトボード用のマーカー１００とは分離される。尚、付勢するときに、ホワイトボード用のマーカー１の筆記具本体２に設けられる指掛り部２１ｋ及び突部２１ｔと他のホワイトボード用のマーカー１００の筆記具本体２００に設けられる突部２１０ｔに指を掛ることで、滑りを抑制し、無駄な力を掛ける必要がない。又、ホワイトボード用のマーカー１のキャップ３と他のホワイトボード用のマーカー１００の筆記具本体２００との間で分離されるので、ホワイトボード用のマーカー１を分離しようとしたとき、誤ってペン先部２０ｐに手が触れてインクで手を汚してしまうこともない。
【００４２】
次に、図５に示すように、キャップ３が筆記具本体２に保持された状態から、キャップ３を外す作業を説明する。筆記具本体２とキャップ３をそれぞれ把持して相反する方向に付勢する。詳しくは、右手の指をホワイトボード用のマーカー１の筆記具本体２の先端側の部分すなわち先端側から基端側に向け暫次軸径が大きくなっている部分に添え、又、左手の指をキャップ３の傾斜状部３５に添え、相反する方向に付勢する。そうすると、キャップ３と筆記具本体２とは分離される。尚、付勢するときに、筆記具本体２に設けられる指掛り部２１ｋ及び突部２１ｔとキャップ３に設けられた複数の溝３５ｍからなる滑り止め手段３０ｓに指を添えることで、滑りを抑制し、無駄な力をかけることなくキャップ３を外すことができる。
【００４３】
次に、図６に示すように、筆記具本体２の基端部２３にキャップ３を接続する作業を説明する。筆記具本体２の基端側とキャップ３の先端側が向かい合うように、それぞれ把持する。そうして、相寄る方向に付勢する。このときに、キャップ３の凸部３１ｂが筆記具本体２の基端部２３の底部２７に形成された凹部２７ａに、又、キャップ３の周壁部３０が、筆記具本体２の基端部２３の外面にそれぞれ嵌り合うようにする。こうして、キャップ３と筆記具本体２が接続される。尚、このように、筆記具とキャップ３とが嵌り合うと、単なる凹凸嵌合ではないので、軸心方向に直行する方向の外力に対しては、強固に固定されることになる。
【００４４】
次に、こうして、キャップ３が筆記具本体２の基端部２３に接続された状態での筆記作業について説明する。まず、筆記具本体２のペン先部２０ｐの近傍に設けられた把持領域２１０を親指，人差し指及び中指で摘み、又、キャップ３に設けられた細径領域３０ｙに親指及び人差し指の各付け根間を結ぶ手の縁部を添える。これによって、ホワイトボード用のマーカー１は、やや傾斜した状態で、把持領域２１０を摘んだ部分と細径領域３０ｙに添えられた前記手の縁部との二箇所で支持されることになる。そして、このように握った状態で、手首の軽いスナップによって、筆記具本体２に微小な往復回転運動を与え、図示しないホワイトボードの筆記面に筆記する。尚、把持領域２１０を摘む指は、指掛り部２１ｋに添えられていることが好ましい。このようにすると、指掛り部２１ｋが指のガイドとなり、安定した筆記作業を可能とするためである。又、指掛り部２１ｋが設けられていると、プレゼンテーションなど緊張した状態で手に汗をかいてホワイトボード用のマーカー１を把持しているときでも、手から滑り落ちる心配を軽減し、安心感を与えてくれる。又、細径領域３０ｙがくびれ状になっているので、密着性が高く、安定した支持ができる。そして、筆記作業が終了すれば、筆記具本体２の基端部２３に接続されているキャップ３を外し、筆記具本体２の先端側に再び装着する。
【００４５】
次に、図７に示すように、使用が終わったホワイトボード用のマーカー１を保管する作業を説明する。ホワイトボード用のマーカー１のキャップ３と他のホワイトボード用のマーカー１００の筆記具本体２００の基端側が向かい合うように、それぞれ把持する。そうして、相寄る方向に付勢する。このときに、ホワイトボード用のマーカー１のキャップ３の凸部３１ｂが他のホワイトボード用のマーカー１００の筆記具本体２００の基端部２３０の底部２７０に形成された凹部２７０ａに、又、ホワイトボード用のマーカー１のキャップ３の周壁部３０が、他のホワイトボード用のマーカー１００の筆記具本体２００の基端部２３０の外面にそれぞれ嵌り合うようにする。こうして、ホワイトボード用のマーカー１のキャップ３と他のホワイトボード用のマーカーの筆記具本体２００が連結される。すなわち、ホワイトボード用のマーカー１の第２の連結部３０ｌと他のホワイトボード用のマーカーの第１の連結部２３０ｌが係わり合って嵌め合わされる。このようにして、ホワイトボード用のマーカー１と他のホワイトボード用のマーカー１００が連結手段Ｒを介して連結され、再び図４に示されるような状態となり、保管される。尚、同一構造の更に他のホワイトボード用のマーカーがあれば、他のホワイトボード用のマーカー１００のキャップ３００先端に連結して保管することもできる。尚、この接続された状態では、他のホワイトボード用のマーカー１００の筆記具本体２００の係止部２８０ａを環状突起３３ａが完全に乗り越え切っている。又、他のホワイトボード用のマーカー１００の筆記具本体２００の係止部２８０ａの最大に突出する部分と環状突起３３ａの最大に突出する部分とは、オーバーラップするように設定されており、本実施形態では、係止部２８０ａの最大に突出する部分を結ぶ仮想円の直径と環状突起３３ａの最大に突出する部分を結ぶ仮想円の直径の差をマイナス０．０２ｍｍに設定している。
【００４６】
このように本実施形態のホワイトボード用のマーカー１は、先端側にペン先部２０ｐを備えた筆記具本体２と、不使用時にペン先部２０ｐを覆うように筆記具本体２と相互に係わり合って保持されるキャップ３とからなるホワイトボード用のマーカー１において、キャップ３に少なくとも前記筆記具本体２の基端部２３と同じ構造の基端部２３０を有する他のホワイトボード用のマーカー１００を係わり合わせて連結しうるようにしたものであり、キャップ３をペン先部２０ｐを覆うように筆記具本体２に保持し、かつ、キャップ３に他のホワイトボード用のマーカー１００を連結した状態で、筆記具本体２と他のホワイトボード用のマーカー１００をそれぞれ把持して相反する方向に付勢したときに、キャップ３と筆記具本体２の係わり合いは解除されないで、キャップ３と他のホワイトボード用のマーカー１００の係り合いが解除され、他のホワイトボード用のマーカー１００と分離できるようにしたので、複数のホワイトボード用のマーカーを整然とまとめておくことができる。又、ひとつのキャップ３とひとつの筆記具本体２で、ひとつのホワイトボード用のマーカー１を構成しており、たとえ、ひとつのホワイトボード用のマーカー１が分離して放置されたとしても、キャップ３さえ装着されていれば、インクが揮発するという不都合は生じない。又、ホワイトボード用のマーカーを分離しようとしたとき、誤ってペン先部２０ｐに手が触れてインクで手を汚してしまうこともない。更に、取り替え用として筆記具本体２を提供する際に、ペン先部２０ｐに装着されたキャップ３が取り替え後も無駄にならない。
【００４７】
キャップ３は、一端側を、筆記具本体２との間に設けられた保持手段Ｈを介して筆記具本体２に保持されるように設けられるとともに、他端側を、他のホワイトボード用のマーカー１００との間に設けられた連結手段Ｒを介して他のホワイトボード用のマーカー１００を連結しうるように設けられ、前記保持手段Ｈの引き抜き強度を、前記連結手段Ｒの引き抜き強度よりも高く設定しているので、キャップ３と筆記具本体２あるいはキャップ３と他のホワイトボード用のマーカー１００の係わり合う構造を簡易にできている。
【００４８】
筆記具本体２には、前記連結手段Ｒの一部を構成する第１の連結部２３ｌが設けられ、前記キャップ３には、前記連結手段Ｒの一部を構成でき、かつ、第１の連結部２３ｌに係わり合って接続しうる第２の連結部３０ｌが設けられている。従って、ホワイトボード用のマーカー１を使用する際に、キャップ３を筆記具本体２の基端部２３に接続できので、キャップ３の分だけホワイトボード用のマーカー１の全長を長くでき、把持しやすいものとなっている。又、他のホワイトボード用のマーカー１００をホワイトボード用のマーカー１と同一構造としており、キャップ３又は筆記具本体２のいずれにも他のホワイトボード用のマーカー１００を連結できる。従って、使用頻度の高いものを前にするようにホワイトボード用のマーカー１と他のホワイトボード用のマーカー１００を連結できる。
【００４９】
保持手段Ｈが、筆記具本体２の外面に設けられた凸部３１ｂと、キャップ３の装着時に凸部３１ｂを乗り越えるようにして係わり合うキャップ３の内面に設けられた係合部３０ａとを備えてなり、キャップ３を筆記具本体２に装着する際に、係合部３０ａが凸部３１ｂを乗り越え切らない位置で保持されるようにしているので、キャップ３と筆記具本体２の嵌合強度を高めることができ、他のホワイトボード用のマーカー１００が連結された状態から分離する際に、キャップ３と筆記具本体２を容易には分離されないようになっている。
【００５０】
他のホワイトボード用のマーカー１００が同一構造のものであり、筆記具本体２に外面から突出した転がりを防止するための突部２１ｔが１の箇所に設けられているものであるので、他のホワイトボード用のマーカー１００を連結したときに、筆記具本体２の突部２１ｔを、他のホワイトボード用のマーカー１００の筆記具本体２００の突部２１０ｔと異なる向きにしておくことで、いっそうのころがり防止に貢献できる。
【００５１】
筆記具本体２が、樽型状に設けられているので、ホワイトボード用のマーカー１に他のホワイトボード用のマーカー１００が連結された状態から分離する際に、筆記具本体２のうち暫次軸径が大きくなっている部分に手を添え付勢できるので、手の滑りを抑制することができ、無駄な力をかけることなく分離することができる。
【００５２】
キャップ３は、先端側に向かって暫次軸径が大きくなるように設けられた傾斜状部３５と、該傾斜状部３５に設けられるとともに指で摘んでキャップ３を筆記具本体２から外す方向に付勢したときに指の滑りを抑制する滑り止め手段３０ｓとを備えたので、筆記具本体２からキャップ３を外す際に、キャップ３を指で摘んで掛けやすいことと相俟って、キャップ３を外す際の滑り止めとしての機能を効果的に発揮する。つまり、無駄な力をかけずに筆記具本体２からキャップ３を外すことができる。
【００５３】
具体的な滑り止め手段３０ｓの構造としては、キャップ３の軸心方向に間隔をあけて平行に設けられた複数の溝３５ｍを採用している。
【００５４】
更に、キャップ３が、鼓形状に設けられており、外観も良好なものとなっている。
【００５５】
ホワイトボード用マーカーであるので、ホワイトボード用マーカー１と他のホワイトボード用マーカー１００を連結しておいて、ホワイトボードの粉受け部に置いておくことができる。
【００５６】
なお、本発明は以上に詳述した実施形態に限られるものではなくその趣旨を逸脱しない範囲で種々の変形が可能である。
【００５７】
本実施形態では、他のホワイトボード用のマーカーをホワイトボード用のマーカーと全く同一構造をしたものにしているが、本発明はこれに限定されるものではない。例えば、他のホワイトボード用のマーカーの外形が多角形状をなすものでも良い。又、他のホワイトボード用のマーカーの基端部の構造は、ホワイトボード用のマーカーのキャップと嵌り合う部分が、ホワイトボード用のマーカーの基端部と同じ構造であれば足り、基端部のその他の部分が異なる構造をしていても本発明の範囲に包含されることはいうまでもない。
【００５８】
又、本実施形態では、筆記具本体を樽型状とし、キャップを鼓形状としているが、これに限定されるものではない。図７に示すように、筆記具本体５２０及びキャップ５３０を全長にわたって略同径の円筒形状のものにしておき、同一構造の他のホワイトボード用のマーカー６００を連結しても良い。尚、この実施形態においては、同一構造の他のホワイトボード用のマーカー６００のキャップに同一構造の更に他のホワイトボード用のマーカー７００を連結している。このように筆記具本体及びキャップの形状は、種々の形状のものを採用することができる。
【００５９】
更に、本実施形態では、筆記具本体を、先軸と、後軸の２部材を組み合わせているが、本発明はこれに限定されるものではない。例えば、胴体部の最も膨出した中央位置で先端側の部材と基端側の部材に分割して設けても良いし、軸心方向に直交する面で分割するのではなく、軸心方向に添う面で分割されていても良い。
【００６０】
又、本実施形態では、本発明をホワイトボード用のマーカーに適用した例を図示説明したが、このような用途のものに限定されるものでもなく、又、マーカー以外のボールペン、繰り出し鉛筆等の他の筆記具であっても良い。
【００６１】
【発明の効果】
以上に詳述したように、本発明によれば、複数の筆記具を同じ向きになるように連結できるようになり、複数の筆記具を整然とまとめておくことができる。又、ひとつのキャップとひとつの筆記具本体で、ひとつの筆記具を構成しており、たとえ、ひとつの筆記具が分離して放置されたとしても、キャップさえ装着されていれば、インクが揮発するという不都合は生じない。又、筆記具を分離しようとしたとき、誤ってペン先部に手が触れてインクで手を汚してしまうこともない。更に、取り替え用として筆記具本体を提供する際に、ペン先部に装着されたキャップが取り替え後も無駄にならない。
【図面の簡単な説明】
【図１】本発明の一実施形態におけるホワイトボード用のマーカーを示す全体斜視図。
【図２】同実施形態における筆記具本体を示す平面図。
【図３】同実施形態におけるキャップを示す断面図。
【図４】同実施形態におけるホワイトボード用のマーカーを他のホワイトボード用のマーカーと連結した状態を説明する斜視図。
【図５】同実施形態におけるキャップを筆記具本体に保持する構造を説明する断面図。
【図６】同実施形態におけるキャップを筆記具本体に接続する構造を説明する断面図。
【図７】同実施形態におけるキャップに他のホワイトボード用のマーカーの筆記具本体を連結する構造を説明する断面図。
【図８】更に他の実施形態における筆記具を示す全体斜視図。
【符号の説明】
１…ホワイトボード用のマーカー（筆記具）
２…筆記具本体
２０ａ…先軸
２０ｂ…後軸
２０ｐ…ペン先部
２１…胴体部
２１ｋ…指掛り部
２１ｔ…突部
２１０…把持領域
２２…先端部
２３…基端部
２３ｌ…第１の連結部
２４…延出部
２４ｔ…凸状部
２５…導出部
２５ｄ…円筒状部分
２６…外壁部
２７…底部
２７ａ…凹部
２８…内壁部
２８ａ…係止部
３…キャップ
３０…周壁部
３０ａ…係合部
３０ｓ…滑り止め手段
３０ｌ…第２の連結部
３０ｙ…細径領域
３１…内栓
３１ａ…基部
３１ｂ…凸部
３１ｈ…内栓保持部
３３ａ…環状突起
３５…傾斜状部
３５ｍ…溝
１００…他のホワイトボード用のマーカー
２００…筆記具本体
２３０…基端部
３００…キャップ
５００…ホワイトボード用のマーカー
５２０…筆記具本体
５３０…キャップ
６００…他のホワイトボード用のマーカー
７００…更に他のホワイトボード用のマーカー
Ｈ…保持手段
Ｒ…連結手段
【図１】
2004299328.tif 000003
【図２】
2004299328.tif 000004
【図３】
2004299328.tif 000005
【図４】
2004299328.tif 000006
【図５】
2004299328.tif 000007
【図６】
2004299328.tif 000008
【図７】
2004299328.tif 000009
【図８】
2004299328.tif 000010